(57)【要約】      （修正有）【課題】食卓に箸を置いたときに先端を浮かせて汚れの付着を防止できるだけでなく、膨出部周辺にも汚れが付着し難く、しかも、繰り返し熱湯を掛けて洗った場合にも表面塗装の罅割れ等の問題が生じ難い衛生面に優れた塗り箸を提供する。【解決手段】重心位置よりも先端側に局部的に太くなった膨出部Ｑが形成された塗り箸において、箸本体１を、木製の箸素地１１と、この箸素地１１の中間部位に巻き取った所定幅の未硬化塗膜を、箸素地１１を天地交互に反転させながら硬化させて形成された中央が膨らんだ形状の膨出塗膜層１２と、この膨出塗膜層１２及び箸素地１１の表面全体を塗装して形成されたトップコート層１３とを含んで構成し、更に膨出塗膜層１２とトップコート層１３に主材が同じ接着性合成樹脂から成る塗料を使用した。【選択図】図３
0003188250.tif 000002
【実用新案登録請求の範囲】
【請求項１】
重心位置(Ｐ)よりも先端側に局部的に太くなった膨出部(Ｑ)が形成された塗り箸において、
箸本体(１)が、木製の箸素地(11)と；この箸素地(11)の中間部位に巻き取った所定幅の未硬化塗膜を、箸素地(11)を天地交互に反転させながら硬化させて形成された中央が膨らんだ形状の膨出塗膜層(12)と；この膨出塗膜層(12)及び箸素地(11)の表面全体を塗装して形成されたトップコート層(13)とを含んで成り、
更に前記膨出塗膜層(12)とトップコート層(13)に主材が同じ接着性合成樹脂から成る塗料が使用されていることを特徴とすることを特徴とする衛生面に優れた塗り箸。
【請求項２】
箸本体(１)の膨出塗膜層(12)とトップコート層(13)に、エポキシ樹脂、アクリル樹脂、ポリスチレン樹脂、ポリウレタン樹脂或いはメラミン樹脂の何れかを主材とする塗料が使用されていることを特徴とする請求項１記載の衛生面に優れた塗り箸。
【請求項３】
箸本体(１)の膨出塗膜層(12)に、接着性合成樹脂に硬化剤を混入して粘度を調整した塗料が使用されていることを特徴とする請求項１または２に記載の衛生面に優れた塗り箸。
【請求項４】
箸本体(１)のトップコート層(13)で被覆された膨出塗膜層(12)の表面に絵柄装飾が施されていることを特徴とする請求項１〜３の何れか一つに記載の衛生面に優れた塗り箸。
【請求項５】
重心位置(Ｐ)よりも先端側に局部的に太くなった膨出部(Ｑ)が形成された塗り箸において、
箸本体(１)が、木製の箸素地(11)と；この箸素地(11)の少なくとも中間部位の表面を塗装して形成されたベースコート層(14)と；このベースコート層(14)上に巻き取った所定幅の未硬化塗膜を、箸素地(11)を天地交互に反転させながら硬化させて形成された中央が膨らんだ形状の膨出塗膜層(12)と；この膨出塗膜層(12)及び前記ベースコート層(14)、箸素地(11)の表面全体を塗装して形成されたトップコート層(13)とを含んで成り、
更に前記ベースコート層(14)、膨出塗膜層(12)及びトップコート層(13)に主材が同じ接着性合成樹脂から成る塗料が使用されていることを特徴とすることを特徴とする衛生面に優れた塗り箸。
【考案の詳細な説明】
【技術分野】
【０００１】
本考案は、膨出部を有する箸の改良、詳しくは、食卓に箸を置いたときに先端を浮かせて汚れの付着を防止できるだけでなく、膨出部周辺にも汚れが付着し難く、しかも、繰り返し熱湯を浴びせて洗浄する食器洗い機にかける場合にも表面塗装の罅割れ等の問題が生じ難い衛生面に優れた塗り箸に関するものである。
【背景技術】
【０００２】
一般的に、食事中に箸を止めて箸を直接食卓に置くと、箸の先端が食卓の上面に触れて箸に埃等の汚れが付着するため、その後の食事が不衛生になり易い。また、食器の上に箸を置く所謂「渡し箸」は、箸使いのマナーに違反する行為とされているため、箸使いの作法を守って食事をする際には箸置き(箸枕)が使用される。
【０００３】
ところが、一般家庭等において、上記箸置きを食事の度に人数分用意するのは、非常に煩わしく、小さな箸置きは食卓からも転げ落ち易い。そこで、箸置きを使用しなくても箸の先端が汚れないように、重心よりも先端側に膨出部(箸の太さが部分的に太くなっている部分)を設けた箸も開発され、既に公知となっている(例えば、特許文献１〜５参照)。
【０００４】
しかしながら、上記従来の膨出部を備えた箸に関しては、箸本体にリング状の部材を装着固定して膨出部を設けていたため、繰り返しの使用によってリング状部材と箸本体の間に隙間が生じ易くなる欠点があった。そのため、箸を長期間使用していると、リング状部材の内側に汚れが入り込んで箸が不衛生になり易かった。
【０００５】
また、上記リング状部材を木製の箸素地に装着した状態で箸全体の塗装を行った塗り箸においては、食器洗い機等で熱湯を掛けて何度も洗った際に、材質が異なる塗膜とリング状部材の熱膨張(収縮)率の違いによって、リング状部材周辺の塗膜に罅割れが生じて塗り箸の見た目が悪化する不都合があった。
【０００６】
一方、本件出願人は、以前に木製の箸素地に所定幅の未硬化塗膜を巻き取って、箸を上下反転させながら塗膜を硬化させることにより膨出した塗膜層を設ける技術を開発しているが(特許文献６参照)、この技術は、塗膜を立体的に形成することを主な目的としているため、上記問題を解決するために更なる工夫を行う必要があった。
【先行技術文献】
【特許文献】
【０００７】
【特許文献１】実開昭５６−１３９７９号公報
【特許文献２】実開昭５７−１３６２８３号公報
【特許文献３】実開昭６３−１０９６５号公報
【特許文献４】実開平４−９１１７５号公報
【特許文献５】特開２００１−２５８７１４号公報
【特許文献６】特開２００４−３２２０１２号公報
【考案の開示】
【考案が解決しようとする課題】
【０００８】
本考案は、上記の如き問題に鑑みて為されたものであり、その目的とするところは、食卓に箸を置いたときに先端を浮かせて汚れの付着を防止できるだけでなく、膨出部周辺にも汚れが付着し難く、しかも、繰り返し熱湯を掛けて洗った場合にも表面塗装の罅割れ等の問題が生じ難い衛生面に優れた塗り箸を提供することにある。
【課題を解決するための手段】
【０００９】
本考案者が上記課題を解決するために採用した手段を添付図面を参照して説明すれば次のとおりである。
【００１０】
即ち、本考案は、重心位置Ｐよりも先端側に局部的に太くなった膨出部Ｑが形成された塗り箸において、
箸本体１を、木製の箸素地11と；この箸素地11の中間部位に巻き取った所定幅の未硬化塗膜を、箸素地11を天地交互に反転させながら硬化させて形成された中央が膨らんだ形状の膨出塗膜層12と；この膨出塗膜層12及び箸素地11の表面全体を塗装して形成されたトップコート層13とを含んで構成し、
更に前記膨出塗膜層12とトップコート層13に主材が同じ接着性合成樹脂から成る塗料を使用した点に特徴がある。
【００１１】
また、上記箸本体１の膨出塗膜層12とトップコート層13に用いる塗料に関しては、エポキシ樹脂、アクリル樹脂、ポリスチレン樹脂、ポリウレタン樹脂或いはメラミン樹脂の何れかを主材とするものが好ましい。また更に、上記箸本体１の膨出塗膜層12に関しては、主材である接着性合成樹脂に硬化剤を混入して粘度を調整した塗料を使用することにより、綺麗に仕上げることができる。そしてまた、上記箸本体１のトップコート層13で被覆された膨出塗膜層12の表面には絵柄装飾を施すこともできる。
【００１２】
そしてまた、上記構成を採用する代わりに、箸本体１を、木製の箸素地11と；この箸素地11の少なくとも中間部位の表面を塗装して形成されたベースコート層14と；このベースコート層14上に巻き取った所定幅の未硬化塗膜を、箸素地11を天地交互に反転させながら硬化させて形成された中央が膨らんだ形状の膨出塗膜層12と；この膨出塗膜層12及び前記ベースコート層14、箸素地11の表面全体を塗装して形成されたトップコート層13とを含んで構成し、
更に前記ベースコート層14、膨出塗膜層12及びトップコート層13に主材が同じ接着性合成樹脂から成る塗料を使用する構成を採用することもできる。
【考案の効果】
【００１３】
本考案では、塗り箸の箸素地(またはベースコート層が形成された箸素地)に立体的な塗膜を形成して膨出部を設けると共に、この膨出塗膜層と主材が同じ塗料を上塗りしてトップコート層を形成したことにより、膨出塗膜層とトップコート層(または膨出塗膜層、トップコート層及びベースコート層)の熱膨張率をほゞ一定に揃えることができるため、繰り返し熱湯で洗った場合でも塗膜の罅割れ等が起き難くなる。
【００１４】
しかも、箸全体をトップコート層で覆うことによって、膨出部と箸素地(またはベースコート層)の間の隙間もなくなるため、塗り箸を長期間使用した場合でも膨出部周辺に汚れが付着し難い。またトップコート層を形成して質感を統一することで、箸素地と膨出塗膜層の材質上の違和感も解消することができる。
【００１５】
したがって、本考案により、箸置きを使用しなくても先端が汚れないように箸を食卓に直接置けるだけでなく、塗り箸としての装飾性にも優れ、かつ、食器洗い機等に繰り返しかけても外観上の問題が生じない耐久性および衛生面に優れた塗り箸を提供できることから、本考案の実用的利用価値は頗る高い。
【図面の簡単な説明】
【００１６】
【図１】本考案の実施例１における塗り箸を表わす全体斜視図である。
【図２】本考案の実施例１における塗り箸の使用状態を表わす状態説明図である。
【図３】本考案の実施例１における塗り箸の構造を表わす部分断面図である。
【図４】本考案の実施例１における塗り箸の製造工程を表わす工程説明図である。
【図５】本考案の実施例２における塗り箸の構造を表わす部分断面図である。
【考案を実施するための形態】
【００１７】
『実施例１』
本考案の実施例１について、図１〜図４に基いて説明する。なお同図において、符号１で指示するものは、塗り箸の箸本体であり、符号Ｐで指示するものは、重心位置である。また符号Ｑで指示するものは、膨出部であり、符号Ｒで指示するものは、リリース板である。また符号Ａで指示するものは、未硬化塗料である。
【００１８】
まず実施例１では、塗り箸の箸本体１を、重心位置Ｐよりも先端側に局部的に太くなった膨出部Ｑを設けて構成している(図１参照)。これにより、図２に示すように、食卓Ｔ上に直接箸本体１を置いた場合でも先端が浮いた状態となるため、食卓Ｔ上面の汚れが箸本体１の先端に付着することがなく、衛生的に食事を行うことができる。
【００１９】
また本実施例では、上記箸本体１の膨出部Ｑを、図３に示すように、木製の箸素地11の中間部位に中央が膨らんだ形状の膨出塗膜層12を形成して設けている。そして更に、上記箸本体１においては、膨出塗膜層12を形成した後に、膨出塗膜層12と箸素地11の表面を塗装してトップコート層13を設けている。
【００２０】
また更に、上記箸本体１の膨出塗膜層12とトップコート層13に用いる塗料には、同じ接着性合成樹脂を主材とする塗料を使用している。なお本実施例では、双方にエポキシ樹脂を主材とする塗料を使用しているが、アクリル樹脂、ポリスチレン樹脂、ポリウレタン樹脂或いはメラミン樹脂の何れかを主材とする塗料を選択することもできる。
【００２１】
そして上記のように、膨出塗膜層12とトップコート層13に主材が同じ塗料を使用することにより、双方の塗膜の接着性が向上するだけでなく、双方の塗膜の熱膨張率がほゞ同じになるため、食器洗い機等で箸本体１を熱湯等で繰り返し洗った場合でも、トップコート層13に罅が入り難くなる。
【００２２】
また、上記箸素地11の膨出塗膜層12の塗料には、接着性合成樹脂に硬化剤を混入して粘度を調整したものを使用するのが好ましく、本実施例では、主材の接着性合成樹脂として採用したエポキシ樹脂に約100：80でポリアミド硬化剤を混入して粘度を向上したものを使用している。
【００２３】
そして、上記膨出塗膜層12に使用する塗料は、図４(a)に示すように、未硬化の状態でリリース板Ｒ上に所定の幅長で一様に塗布した後、この未硬化塗料Ａの端から箸素地11をリリース板Ｒ上で転がして、リリース板Ｒから剥離する未硬化塗料Ａを箸素地11に転着させて巻き取る。
【００２４】
なお、上記リリース板Ｒに塗料を塗布する際には、ローラーを使って塗布すると塗料の厚みを均一に揃え易い。また、上記リリース板Ｒの上面には、プラスチックフィルムの表面にシリコン樹脂で剥離処理を施したナイロン製の剥離ライナーを張り付けて、箸素地11で巻き取る際に未硬化塗料Ａがリリース板Ｒから簡単に剥離するようにしている。
【００２５】
そして、上記のように未硬化塗料Ａを箸素地11に巻き取った後は、図４(b)に示すように、箸本体１の後端を支持具Ｓの差込み穴に挿入して固定し、未硬化塗料Ａが垂れ落ちないように所定の時間毎に支持具Ｓをひっくり返しながら、箸素地11を天地交互に反転させて未硬化塗料Ａを乾燥硬化させる。
【００２６】
なお、上記支持具Ｓの反転タイミングは、未硬化塗料Ａの硬化具合によって変化させており、本実施例では、反転回数を経過時間０〜５分で１分間あたり４回、経過時間５〜１０分で１分あたり２回、経過時間１０〜２０分で１分間あたり１回、経過時間２０〜４５分で５分間あたり１回、経過時間４５〜６０分で７分間あたり１回、経過時間６０〜９０分で１０分間あたり１回、経過時間９０〜１２０分で２０分あたり１回、経過時間１２０〜２４０分で３０分間あたり１回としている。
【００２７】
『実施例２』
本考案の実施例２について、図５に基いて以下に説明する。この実施例２では、箸本体１の箸素地11の表面を塗装してベースコート層14を設けると共に、このベースコート層14上に、実施例１に記載の方法で巻き取った所定幅の未硬化塗膜を、箸素地11を天地交互に反転させながら硬化させて、中央が膨らんだ形状の膨出塗膜層12を設けている。
【００２８】
また、上記箸本体１には、膨出塗膜層12、ベースコート層14及び箸素地11の表面全体を塗装することによってトップコート層13を設けている。また更に、上記箸本体１のベースコート層14、膨出塗膜層12及びトップコート層13には、主材が同じ接着性合成樹脂(本実施例では、エポキシ樹脂)から成る塗料を使用している。
【００２９】
これにより、実施例１の塗り箸と同様、全ての塗膜(ベースコート層14、膨出塗膜層12、トップコート層13)の接着性が良好となるだけでなく、全ての塗膜の熱膨張率をほゞ同じに揃えることができるため、温度変化に繰り返し晒された場合でもトップコート層13に罅が入って外観が損なわれるようなことはない。
【００３０】
本考案は、概ね上記のように構成されるが、本考案は図示の実施形態に限定されるものでは決してなく、「実用新案登録請求の範囲」の記載内において種々の変更が可能であって、例えば、上記箸本体１のトップコート層13で被覆された膨出塗膜層12の表面に絵柄装飾を施すことで、塗り箸の装飾性を高めることもできる。
【００３１】
また、上記箸本体１にベースコート層14を設ける場合には、少なくとも膨出塗膜層12が形成される箸素地11の中間部位にのみに設けることもでき、またトップコート層13に滑り止め材料を添加することによって塗り箸のグリップ性を向上することもでき、上記何れのものも本考案の技術的範囲に属する。
【産業上の利用可能性】
【００３２】
近年、伝統的な塗り箸だけでなく、需要に応じて様々な機能が付加された実用性の高い塗り箸が求められている。そのような中で、本考案の「衛生面に優れた塗り箸」は、食事中に汚れを飲み込むことで子供等の健康が害される事態を防止できるだけでなく、外観上の問題も防止できる有用な技術であることから、その産業上の利用価値は非常に高い。
【符号の説明】
【００３３】
１  箸本体
11  箸素地
12  膨出塗膜層
13  トップコート層
14  ベースコート層
Ｐ  重心位置
Ｑ  膨出部
Ｒ  リリース板
Ａ  未硬化塗料
Ｓ  支持具
Ｔ  食卓
【図１】
0003188250.tif 000003
【図２】
0003188250.tif 000004
【図３】
0003188250.tif 000005
【図４】
0003188250.tif 000006
【図５】
0003188250.tif 000007
【手続補正書】
【提出日】平成25年10月3日(2013.10.3)
【手続補正１】
【補正対象書類名】実用新案登録請求の範囲
【補正対象項目名】全文
【補正方法】変更
【補正の内容】
【実用新案登録請求の範囲】
【請求項１】
重心位置(Ｐ)よりも先端側に局部的に太くなった膨出部(Ｑ)が形成された塗り箸において、
箸本体(１)が、木製の箸素地(11)と；この箸素地(11)の中間部位にリリース板(Ａ)から巻き取った所定幅の未硬化塗膜を、箸素地(11)を天地交互に反転させながら硬化させて形成された中央が膨らんだ形状の膨出塗膜層(12)と；この膨出塗膜層(12)及び箸素地(11)の表面全体を塗装して形成されたトップコート層(13)とを含んで成り、
更に前記膨出塗膜層(12)とトップコート層(13)に主材が同じ接着性合成樹脂から成る塗料が使用されていることを特徴とすることを特徴とする衛生面に優れた塗り箸。
【請求項２】
箸本体(１)の膨出塗膜層(12)とトップコート層(13)に、エポキシ樹脂、アクリル樹脂、ポリスチレン樹脂、ポリウレタン樹脂或いはメラミン樹脂の何れかを主材とする塗料が使用されていることを特徴とする請求項１記載の衛生面に優れた塗り箸。
【請求項３】
箸本体(１)の膨出塗膜層(12)に、接着性合成樹脂に硬化剤を混入して粘度を調整した塗料が使用されていることを特徴とする請求項１または２に記載の衛生面に優れた塗り箸。
【請求項４】
箸本体(１)のトップコート層(13)で被覆された膨出塗膜層(12)の表面に絵柄装飾が施されていることを特徴とする請求項１〜３の何れか一つに記載の衛生面に優れた塗り箸。
【請求項５】
重心位置(Ｐ)よりも先端側に局部的に太くなった膨出部(Ｑ)が形成された塗り箸において、
箸本体(１)が、木製の箸素地(11)と；この箸素地(11)の少なくとも中間部位の表面を塗装して形成されたベースコート層(14)と；このベースコート層(14)上にリリース板(Ａ)から巻き取った所定幅の未硬化塗膜を、箸素地(11)を天地交互に反転させながら硬化させて形成された中央が膨らんだ形状の膨出塗膜層(12)と；この膨出塗膜層(12)及び前記ベースコート層(14)、箸素地(11)の表面全体を塗装して形成されたトップコート層(13)とを含んで成り、
更に前記ベースコート層(14)、膨出塗膜層(12)及びトップコート層(13)に主材が同じ接着性合成樹脂から成る塗料が使用されていることを特徴とすることを特徴とする衛生面に優れた塗り箸。
【手続補正書】
【提出日】平成25年11月5日(2013.11.5)
【手続補正１】
【補正対象書類名】実用新案登録請求の範囲
【補正対象項目名】全文
【補正方法】変更
【補正の内容】
【実用新案登録請求の範囲】
【請求項１】
重心位置(Ｐ)よりも先端側に局部的に太くなった膨出部(Ｑ)が形成された塗り箸において、
箸本体(１)が、木製の箸素地(11)と；この箸素地(11)の中間部位にリリース板(Ｒ)から巻き取った所定幅の未硬化塗膜を、箸素地(11)を天地交互に反転させながら硬化させて形成された中央が膨らんだ形状の膨出塗膜層(12)と；この膨出塗膜層(12)及び箸素地(11)の表面全体を塗装して形成されたトップコート層(13)とを含んで成り、
更に前記膨出塗膜層(12)とトップコート層(13)に主材が同じ接着性合成樹脂から成る塗料が使用されていることを特徴とすることを特徴とする衛生面に優れた塗り箸。
【請求項２】
箸本体(１)の膨出塗膜層(12)とトップコート層(13)に、エポキシ樹脂、アクリル樹脂、ポリスチレン樹脂、ポリウレタン樹脂或いはメラミン樹脂の何れかを主材とする塗料が使用されていることを特徴とする請求項１記載の衛生面に優れた塗り箸。
【請求項３】
箸本体(１)の膨出塗膜層(12)に、接着性合成樹脂に硬化剤を混入して粘度を調整した塗料が使用されていることを特徴とする請求項１または２に記載の衛生面に優れた塗り箸。
【請求項４】
箸本体(１)のトップコート層(13)で被覆された膨出塗膜層(12)の表面に絵柄装飾が施されていることを特徴とする請求項１〜３の何れか一つに記載の衛生面に優れた塗り箸。
【請求項５】
重心位置(Ｐ)よりも先端側に局部的に太くなった膨出部(Ｑ)が形成された塗り箸において、
箸本体(１)が、木製の箸素地(11)と；この箸素地(11)の少なくとも中間部位の表面を塗装して形成されたベースコート層(14)と；このベースコート層(14)上にリリース板(Ｒ)から巻き取った所定幅の未硬化塗膜を、箸素地(11)を天地交互に反転させながら硬化させて形成された中央が膨らんだ形状の膨出塗膜層(12)と；この膨出塗膜層(12)及び前記ベースコート層(14)、箸素地(11)の表面全体を塗装して形成されたトップコート層(13)とを含んで成り、
更に前記ベースコート層(14)、膨出塗膜層(12)及びトップコート層(13)に主材が同じ接着性合成樹脂から成る塗料が使用されていることを特徴とすることを特徴とする衛生面に優れた塗り箸。